(57)【要約】  イントラフレーム符号化の符号化結果を最適化することが可能なイントラフレーム予測符号化／復号化のための方法および装置。同じフレーム内での少なくとも２種類のイントラフレーム予測方法による予測符号化と、使用されたイントラフレーム予測符号化方法の情報のフレーム内の符号化結果への書き込みとによって、さまざまなブロックについての最も適切な方法による符号化が行われる。少なくとも２種類のイントラフレーム予測方法を使用する場合は正確な復号化のために関連する指示情報を書き込む必要がある。復号化の際には、同じフレーム内の各ブロックについてブロックのイントラフレーム予測符号化方法を読み出して、その方法を使用することによってブロックを復号化する。各ブロックを階層ツリーの形態で編成することによって最適な復号化機能を得ることができ、符号化結果内の各ブロックのイントラフレーム予測方法の情報の情報量を減らすことができる。
2010515310.tif 000002
【特許請求の範囲】
【請求項１】
フレーム内のブロックに対して少なくとも２つのイントラ予測符号化モードを使用することによって予測符号化を実行するステップと、
前記フレームの各ブロックの前記イントラ予測符号化モードを示す情報を前記フレームの符号化結果に書き込むステップであって、前記フレームの各ブロックは前記少なくとも２つのイントラ予測符号化モードのうちの１つを使用することによって符号化された、前記書き込むステップと、
を含む、イントラ予測符号化方法。
【請求項２】
前記予測符号化は少なくとも２つのイントラ予測符号化モードを使用することによって実行されていることを示す情報を前記フレームの前記符号化結果内に書き込むステップをさらに含む、請求項１に記載のイントラ予測符号化方法。
【請求項３】
各ブロックのサイズを示す情報を前記フレームの前記符号化結果内に書き込むステップをさらに含む、請求項１に記載のイントラ予測符号化方法。
【請求項４】
フレーム内のブロックに対して少なくとも２つのイントラ予測符号化モードを使用することによって予測符号化を実行する前記ステップは、
前記フレームの各ブロックに対してすべての利用可能なイントラ予測符号化モードを使用することを試みることによって前記予測符号化を実行するステップと、
前記ブロックの少なくとも２つの符号化結果候補を取得するステップと、
前記符号化結果候補から最適な性能測定値を有する符号化結果を前記ブロックの最終的な符号化結果として選択するステップと、
をさらに含む、請求項１に記載のイントラ予測符号化方法。
【請求項５】
前記性能測定値は、レート歪性能である、請求項４に記載のイントラ予測符号化方法。
【請求項６】
前記イントラ予測符号化モードは、
方向予測モードと、変位イントラ予測モードと、テンプレートマッチング予測モードとを含む、請求項１〜５のいずれか一項に記載のイントラ予測符号化方法。
【請求項７】
前記フレームは、空間領域フレームまたは周波数領域フレームである、請求項１〜５のいずれか一項に記載のイントラ予測符号化方法。
【請求項８】
前記ブロックは階層ツリーの形態で編成され、
前記階層ツリーの１つのブランチのルートノードに対応する前記ブロックが１つのみのイントラ予測符号化モードを使用することによって符号化されている場合、前記ブロックのサイズを示す情報と、前記ブロックの前記イントラ予測符号化モードを示す情報とが、前記フレームの前記符号化結果内に書き込まれ、そうでない場合、前記ブランチの各サブブランチがさらに処理される、請求項１〜５のいずれか一項に記載のイントラ予測符号化方法。
【請求項９】
フレームの各ブロックのイントラ予測符号化モードを示す情報を前記フレームの符号化結果から読み出すステップであって、前記フレームの各ブロックは少なくとも２つのイントラ予測符号化モードのうちの１つを使用することによって符号化された、前記読み出すステップと、
前記情報によって示される前記イントラ予測符号化モードに対応する復号化モードを使用することによって、各ブロックを復号化するステップと、
を含む、イントラ予測復号化方法。
【請求項１０】
少なくとも２つのイントラ予測符号化モードを使用することによって前記フレームに対して予測符号化が実行されていることを示す情報が前記フレームの前記符号化結果から読み出された場合は、前記フレームの各ブロックを前記イントラ予測符号化モードに対応する前記復号化モードを使用することによってそれぞれ復号化し、そうでない場合は、前記フレームのすべてのブロックを一つのイントラ予測復号化モードを使用することによって復号化するステップをさらに含む、請求項９に記載のイントラフレーム予測復号化方法。
【請求項１１】
前記ブロックは階層ツリーの形態で編成され、
前記フレームの前記符号化結果から前記ブロックのサイズを示す情報が読み出された場合、前記ブロックの前記イントラ予測符号化モードを示す情報がさらに読み出され、前記サイズを有する前記ブロックが前記イントラ予測符号化モードに対応する前記復号化モードを使用することによって復号化される、請求項９に記載のイントラ予測復号化方法。
【請求項１２】
前記イントラ予測符号化モードは、
方向予測モードと、変位イントラ予測モードと、テンプレートマッチング予測モードとを含む、請求項９に記載のイントラ予測復号化方法。
【請求項１３】
前記フレームは、空間領域フレームまたは周波数領域フレームである、請求項９に記載のイントラ予測復号化方法。
【請求項１４】
フレーム内のブロックに対して少なくとも２つのイントラ予測符号化モードを使用することによって予測符号化を実行するように適合されたユニットと、
前記フレームの各ブロックの前記イントラ予測符号化モードを示す情報を前記フレームの符号化結果内に書き込むように適合されたユニットであって、前記フレームの各ブロックは前記少なくとも２つのイントラ予測符号化モードのうちの１つを使用することによって符号化された、ユニットと、
を具備する、イントラフレーム予測符号化装置。
【請求項１５】
前記少なくとも２つのイントラ予測符号化モードを使用することによって前記フレームに対して前記予測符号化が実行されていることを示す情報を前記フレームの前記符号化結果内に書き込むように適合されたユニットをさらに具備する、請求項１４に記載のイントラ予測符号化装置。
【請求項１６】
各ブロックのサイズを示す情報を前記フレームの前記符号化結果内に書き込むように適合されたユニットをさらに具備する、請求項１４に記載のイントラ予測符号化装置。
【請求項１７】
フレーム内のブロックに対して少なくとも２つのイントラ予測符号化モードを使用することによって予測符号化を実行するように適合された前記ユニットは、
各符号化器が１つのイントラ予測符号化モードを使用することによって各ブロックに対して前記予測符号化を実行するように適合された、少なくとも２つの符号化器と、
前記符号化器から出力された符号化結果候補から最適なレート歪性能を有する符号化結果を前記ブロックの最終的な符号化結果として選択するように適合された、選択器と、
をさらに具備する、請求項１４に記載のイントラ予測符号化装置。
【請求項１８】
各復号化器が１つのイントラ予測符号化モードに従って復号化するように適合された、少なくとも２つの復号化器と、
フレームの各ブロックのイントラ予測符号化モードを示す情報を前記フレームの符号化結果から読み出すように適合され、及び、前記イントラ予測符号化モードに対応する前記復号化器に前記ブロックを復号化するように指示するように適合された、第１の読み出しユニットと、
を具備する、イントラフレーム予測復号化装置。
【請求項１９】
少なくとも２つのイントラ予測符号化モードを使用することによって前記フレームに対して予測符号化が実行されていることを示す情報を前記フレームの前記符号化結果から読み出すことを試みるように適合され、少なくとも２つのイントラ予測符号化モードを使用することによって前記フレームに対して前記予測符号化が実行されていることを示す前記情報が読み出された場合は、前記第１の読み出しユニットと前記復号化器とに前記フレームの各ブロックをそれぞれ復号化するように指示するように適合され、そうでない場合は、前記復号化器のうちの１つに一つのイントラ予測復号化モードを使用することによって前記フレームのすべてのブロックを復号化するように指示するように適合された、第２の読み出しユニットをさらに具備する、請求項１８に記載のイントラ予測復号化装置。
【発明の詳細な説明】
【技術分野】
【０００１】
本発明は、ビデオ符号化および復号化の分野に関し、特に、イントラ予測符号化および復号化の方法および装置に関する。
【背景技術】
【０００２】
ビデオは大量の情報を有し、そして、ビデオ符号化の間、符号化器が、イントラ符号化を、先の符号化フレームに依存せずに独立して実行する場合、復号化器は、先の復号化フレームを知ることなしに、フレームを直接復号化することができる。しかし、この方法では、イントラ符号化の圧縮効率はかなり低く、符号化される情報の量は極めて大きい。符号化の圧縮効率を向上させるためには、イントラ符号化中に、周辺情報を使用することによって、現在のブロックに対して予測が実行され、または、インター予測フレーム、特に動き補償フレームについては、現在のフレームのイントラ符号化は、インター符号化ブロックを現在の符号化フレームの予測基準として使用することによって実行されてもよい。１つのフレームがイントラ符号化を使用するのみである場合、そのフレームは、例えば、Ｈ．２６４／高度ビデオ符号化（ａｄｖａｎｃｅｄ  ｖｉｄｅｏ  ｃｏｄｉｎｇ）（ＡＶＣ）規格における瞬時復号更新（ｉｎｓｔａｎｔａｎｅｏｕｓ  ｄｅｃｏｄｉｎｇ  ｒｅｆｒｅｓｈ）（ＩＤＲ）フレームなどのような、ビデオシーケンスの開始点として働くことが可能である。
【０００３】
Ｈ．２６４／ＡＶＣのイントラ予測符号化技術について、以下で簡単に紹介する。Ｈ．２６４／ＡＶＣイントラ符号化の主な目的は、フレームの空間的冗長性（ｓｐａｃｅ  ｒｅｄｕｎｄａｎｃｙ）を減少させることである。Ｈ．２６４／ＡＶＣイントラフレーム符号化の効率を向上させるために、フレームの近接するマクロブロックの空間的依存性（ｓｐａｃｅ  ｄｅｐｅｎｄｅｎｃｙ）が十分に利用され、その理由は、近接するマクロブロックは、通常、類似した特性を有するからである。したがって、マクロブロックが符号化される際に、近接するマクロブロックに従って予測が実行され、次に、予測された値と実際の値との間の差が符号化される。図１を参照すると、この図は、従来技術におけるＨ．２６４／ＡＶＣイントラ予測符号化の方法の略図である。フレームを直接符号化する技術に比較して、この方法は、ビットレートを大幅に減少させ得るということが、図１から分かるであろう。
【０００４】
Ｈ．２６４／ＡＶＣは、４×４、８×８、および１６×１６ブロックに基づくイントラ予測をサポートし、１つのＤＣ予測モード（ＤＣ  ｐｒｅｄｉｃｔｉｏｎ  ｍｏｄｅ）と複数の方向予測モード（ｄｉｒｅｃｔｉｏｎａｌ  ｐｒｅｄｉｃｔｉｏｎ  ｍｏｄｅ）とを含む、さまざまな予測モードを提供する。このイントラ予測を介して、ピクチャの空間的冗長性は大幅に減少させられ、そして、符号化の圧縮効率は向上する。
【０００５】
Ｈ．２６４／ＡＶＣイントラ予測符号化の方法に加えて、従来技術では、Ｈ．２６４／ＡＶＣ変位イントラ予測（ｄｉｓｐｌａｃｅｍｅｎｔ  ｉｎｔｒａ  ｐｒｅｄｉｃｔｉｏｎ）（ＤＩＰ）符号化がさらに提供される。この方法では、Ｈ．２６４／ＡＶＣにおける可変サイズのブロックを使用したインター予測が、Ｈ．２６４／ＡＶＣイントラ予測に適用される。現在のブロックは、先の符号化された領域（ｐｒｅｖｉｏｕｓ  ｅｎｃｏｄｅｄ  ａｒｅａ）を、変位ベクトルラベル付け方法（ｄｉｓｐｌａｃｅｍｅｎｔ  ｖｅｃｔｏｒ  ｌａｂｅｌｉｎｇ  ｍｅｔｈｏｄ）を使用することによって参照してもよい。言い換えると、現在のブロックが符号化されている場合、最初に、現在のブロックに類似したブロックが、符号化された領域内で探索されて、候補ブロック（ｃａｎｄｉｄａｔｅ  ｂｌｏｃｋ）として選択され、そして、候補ブロックは、変位ベクトルラベル付け方法（現在のブロックと候補ブロックとの間の位置の差を識別するために使用される）を介して示される。候補ブロックは現在のブロックよりも先に復号化されるので、復号化器は、現在のブロックを、候補ブロックの復号化された情報と、変位ベクトルと、その他の情報とに従って復号化することが可能である。図２を参照すると、この図は、従来技術におけるＤＩＰ符号化の方法の略図である。図２に示されている方法は、通常、マクロブロックレベルに適用される。
【０００６】
従来技術では、テンプレートマッチング（ｔｅｍｐｌａｔｅ  ｍａｔｃｈｉｎｇ）を使用することによるイントラ予測符号化の方法がさらに提供される。図３を参照すると、この図は、従来技術におけるテンプレートマッチングイントラ予測符号化の方法の略図である。この方法では、予測ピクチャ領域（ｐｒｅｄｉｃｔｉｏｎ  ｐｉｃｔｕｒｅ  ａｒｅａ）の自己相似領域（ｓｅｌｆ−ｓｉｍｉｌａｒ  ａｒｅａ）が、テンプレートマッチングを使用することによる予測のために利用され、ここで、予測ピクチャ領域は、対象領域（ｏｂｊｅｃｔ  ａｒｅａ）とも呼ばれる。特に、予測ピクチャ領域の近接領域（ｎｅｉｇｈｂｏｒｉｎｇ  ａｒｅａ）は、テンプレートとして働き、テンプレートのピクセルに最も類似したピクセルを有する領域が、先の符号化された領域内で反復して探索され、最も類似した領域は、候補近接領域（ｃａｎｄｉｄａｔｅ  ｎｅｉｇｈｂｏｒｉｎｇ  ａｒｅａ）と呼ばれ、そして、先の符号化された領域は、探索領域（ｓｅａｒｃｈｉｎｇ  ａｒｅａ）とも呼ばれる。復号化器は候補近接領域を探索領域から見つけてもよく、そして、候補近接領域のピクセルは対象領域の近接領域のピクセルに類似しているため、復号化器は、対象領域の予測を、いかなるその他の追加のヘッダ情報もなしに取得してもよい。テンプレートマッチング技術は、Ｈ．２６４／ＡＶＣの追加モードとして働いてもよく、そして、イントラ４×４ブロックまたはイントラ８×８予測ブロックに適用可能である。
【発明の概要】
【発明が解決しようとする課題】
【０００７】
本発明の実施のプロセスの間に、発明者らは、従来技術が少なくとも以下の問題を有することを見出した。
【０００８】
Ｈ．２６４／ＡＶＣイントラ予測符号化、ＤＩＰ符号化、およびテンプレートマッチングイントラ予測符号化は、それぞれの特徴を有し、そして、それぞれ、シナリオの一部に適用可能である。異なるイントラ予測技術は、ビデオピクチャ内の異なる局所領域に適用可能である。Ｈ．２６４／ＡＶＣイントラ予測技術は、現在のブロックと、近接するピクセルとが、類似した方向の伸張テクスチャ構造を有する領域に適用可能である。ＤＩＰ技術は、繰り返される構造を有する領域に適用可能である。テンプレートマッチングイントラ予測技術は、参照近接領域が類似した構造を有する領域に適用可能である。１つのイントラ予測符号化方法を使用することによって得られる符号化性能は、最適ではないということが分かるであろう。
【課題を解決するための手段】
【０００９】
本発明のさまざまな実施形態は、符号化性能をより良好にする、イントラ予測符号化および復号化の方法および装置を提供する。
【００１０】
上記の技術的問題を解決するために、本発明の一実施形態は、以下のステップを含むイントラ予測符号化の方法を提供する。予測符号化が、フレーム内のブロックに対して、少なくとも２つのイントラ予測符号化モードを使用することによって実行される。フレームの各ブロックのイントラ予測符号化モードを示す情報が、フレームの符号化結果内に書き込まれる。符号化結果内で、各ブロックは１つのみのイントラ予測符号化モードを使用し、少なくとも２つの符号化モードが、フレームの符号化結果内で使用される。
【００１１】
本発明の一実施形態は、以下のステップを含む、イントラ予測復号化の方法を提供する。フレームの各ブロックのイントラ予測符号化モードを示す情報が、フレームの符号化結果から読み出され、そのモードを使用してブロックは復号化される。
【００１２】
本発明の一実施形態は、イントラ予測符号化の装置を提供し、イントラ予測符号化の装置は、フレーム内のブロックに対して、少なくとも２つのイントラ予測符号化モードを使用することによって予測符号化を実行するように適合されたユニットと、フレームの各ブロックのイントラ予測符号化モードを示す情報を、フレームの符号化結果内に書き込むように適合されたユニットとを含む。符号化結果内で、フレームの各ブロックは１つのみのイントラ予測符号化モードを使用し、少なくとも２つの符号化モードが、フレームの符号化結果内で使用される。
【００１３】
本発明の一実施形態は、イントラ予測復号化の装置を提供し、イントラ予測復号化の装置は、少なくとも２つの復号化器であって、各復号化器は、１つのイントラ予測符号化モードに従って復号化するように適合された、少なくとも２つの復号化器と、第１の読み出しユニットであって、フレーム内の各ブロックのイントラ予測符号化モードを示す情報を、フレームの符号化結果から読み出すように適合され、及び、イントラ予測符号化モードに対応する復号化器に、ブロックを復号化するように指示するように適合された、第１の読み出しユニットと、を含む。
【発明の効果】
【００１４】
従来技術と比較すると、本発明は、以下の有利な効果を有する。
【００１５】
さまざまなブロックが最も適切なモードを使用することによって符号化されてもよいようにするために、同じフレームに対して少なくとも２つのイントラ予測符号化モードを使用することによって予測符号化が実行され、各ブロックによって使用されたイントラ予測符号化モードを示す情報が、符号化結果内に書き込まれる。フレームのすべてのブロックに対して１つのみのモードを使用することによってイントラ符号化が実行される従来技術における技術的解決法と比較すると、本発明では、より良好な符号化性能が得られる。
【００１６】
１つのメディアストリーム内のいくつかのフレームは、少なくとも２つのイントラ予測符号化モードを使用するが、そのメディアストリーム内のいくつかのフレームは、１つのみのイントラ予測符号化モードを使用する場合、復号化プロセスを正しく実行するために、前者の符号化結果内には、少なくとも２つのイントラ予測符号化モードが使用されていることを示す情報が書き込まれるべきである。
【００１７】
少なくとも２つのイントラ予測符号化モードが使用される状況下では、復号化プロセスの間、同じフレームの各ブロックによって使用されたイントラ予測符号化モードが最初に読み出され、次に、このモードを使用することによってブロックは復号化され、したがって、各ブロックは正しく復号化される。
【００１８】
各ブロックのサイズを示す情報が符号化結果内に書き込まれ、したがって、同じフレームの各ブロックは固定された分割パターンに制限されず、そして、さまざまなイントラ予測符号化モードを使用することによる、より良好な符号化性能が得られる。
【００１９】
各ブロックに対して、複数のイントラ予測符号化モードを使用することを試みることによって予測符号化が実行されて、複数のイントラ予測符号化モードを使用することによる結果が候補として得られ、次に、例えばレート歪性能などの予め決められた性能測定値に従って、最適な候補が最終的な符号化結果として選択され、したがって、最終的な符号化結果は最適な性能を有する。
【００２０】
最適な性能を得るため、および、符号化結果内の各ブロックによって使用されたイントラ予測符号化モードを示す情報の量を減らすために、フレームのブロックは階層ツリーの形態で編成される。
【００２１】
本発明の技術的解決法は、空間領域フレームまたは周波数領域フレームにおいて適用されてもよく、周波数領域は、離散コサイン変換（ＤＣＴ）、離散フーリエ変換（ＤＦＴ）、およびウェーブレット変換などのさまざまな変換によって生成された周波数領域を含む。したがって、本発明の実施形態は広い適用分野を有する。
【図面の簡単な説明】
【００２２】
【図１】従来技術におけるＨ．２６４／ＡＶＣイントラ予測符号化の方法の略図である。
【図２】従来技術におけるＤＩＰ符号化の方法の略図である。
【図３】従来技術におけるテンプレートマッチングを使用することによるイントラ予測符号化の方法の略図である。
【図４】本発明の第１の実施形態によるイントラ予測符号化および復号化の方法のフローチャートである。
【図５】本発明の第１の実施形態によるイントラ予測符号化および復号化の方法における、マクロブロックの分割の略図である。
【図６】本発明の第１の実施形態によるイントラ予測符号化および復号化の方法における、復号化の例のフローチャートである。
【図７】本発明の第１の実施形態によるイントラ予測符号化および復号化の方法によってもたらされる、レート歪性能の向上の略図である。
【図８】本発明の第２の実施形態によるイントラ予測符号化の装置の構造図である。
【図９】本発明の第２の実施形態によるイントラ予測復号化の装置の構造図である。
【発明を実施するための形態】
【００２３】
本発明の目的、技術的解決法、および利点のさらなる理解を得るために、本発明の詳細な説明を、添付の図面とともに以下に示す。
【００２４】
本発明の各実施形態では、さまざまなブロックを最も適切なモードを使用することによって符号化するために、同じフレームに対して、少なくとも２つのイントラ予測符号化モードを使用することによって予測符号化が実行され、各ブロックによって使用されたイントラ予測符号化モードを示す情報は、符号化結果内に書き込まれる。フレームのすべてのブロックに対して１つのみのモードを使用することによってイントラ符号化が実行される従来技術における技術的解決法と比較すると、本発明の技術的解決法では、より良好な符号化性能が得られる。
【００２５】
本発明の第１の実施形態を、図４を参照して以下で説明する。本発明の第１の実施形態は、イントラ予測符号化および復号化の方法に関する。
【００２６】
ステップ４１０で、符号化器が、フレームの各ブロックに対して、すべての利用可能なイントラ予測符号化モードを使用することを試みることによって予測符号化を実行して、対応する符号化結果候補をそれぞれ取得し、それらの候補から最適な性能を有する候補が、ブロックの最終的な符号化結果となるように選択される。この方法は、最も適切なモードを使用することによってさまざまなブロックを符号化することと同等である。フレームのすべてのブロックに対して１つのみのモードを使用することによってイントラ符号化が実行される従来技術における技術的解決法と比較すると、本実施形態では、より良好な符号化性能が得られる。ここで、性能測定値は、レート歪性能であってもよい。イントラ予測符号化モードの候補は、Ｈ．２６４／ＡＶＣ方向予測モード、ＤＩＰモード、およびテンプレートマッチング予測モードなどであってもよい。
【００２７】
特に、符号化されるブロックは、基本符号化単位、すなわち、マクロブロックであってもよく、そして、マクロブロックから分割されたサブブロックであってもよい。各ブロックに対して、複数のモードの予測符号化が実行され、そして、最適な性能測定値を有する符号化結果が最終的な符号化結果として選択された後は、最適な性能を得るため、および、符号化結果内の各ブロックによって使用されたイントラ予測符号化モードを示す情報の量を減らすために、各ブロックの最終的な符号化結果に対応するイントラ予測符号化モードに従って、ブロックは階層ツリーの形態で編成される。例えば、１６×１６マクロブロックについて、１つの１６×１６マクロブロックは４つの８×８サブブロックに分割されてもよく、そして、１つの８×８サブブロックは同様に４つの４×４サブブロックにさらに分割されてもよい。符号化器は、１６×１６マクロブロックと、マクロブロック内の各８×８サブブロックと、マクロブロック内の各４×４サブブロックとを、複数の予測モードを使用することによってそれぞれ符号化し、それにより、候補となる符号化結果の組み合わせから最適なレート歪性能を有する符号化モードの組み合わせが、マクロブロックの最終的な符号化結果となるように選択され、その結果、マクロブロックは階層ツリーの形態で編成される。図５は、本発明の第１の実施形態によるイントラ予測符号化および復号化の方法における、マクロブロックの分割の略図である。１６×１６マクロブロックの符号化結果の組み合わせの例が図５に示されており、左上隅の８×８サブブロックの最終的な符号化結果はＤＩＰモードを使用した符号化結果であり、左下隅の８×８サブブロックの最終的な符号化結果はＨ．２６４／ＡＶＣ方向予測モードを使用した符号化結果であり、右下隅の８×８サブブロックの最終的な符号化結果はテンプレートマッチングイントラ予測モードを使用した符号化結果であり、右上隅の４×４サブブロックの最終的な符号化結果はＤＩＰモードを使用した符号化結果であり、残りの３つの４×４サブブロックの最適な符号化結果はすべて、Ｈ．２６４／ＡＶＣ方向予測モードの符号化結果である。
【００２８】
明らかに、ここで、マクロブロックは、必ずしも１６×１６マクロブロックであるとは限らず、例えば３２×３２マクロブロックなどのその他のフォーマットのマクロブロックであってもよい。同様に、サブブロックは、必ずしも四分した階層レベルの形態で編成されるとは限らず、例えば二分した階層レベルの形態などのその他の形態で編成されてもよい。二分した階層レベルの形態では、１つの１６×１６マクロブロックは、２つの８×１６サブブロックまたは２つの１６×８サブブロックを含む。
【００２９】
ステップ４１０における予測符号化モードの詳細は、従来技術を参照して得ることができる。例えば、Ｈ．２６４／ＡＶＣ方向予測符号化モードについては、ＩＴＵ−Ｔ  Ｒｅｃ．  Ｈ．２６４「Ａｄｖａｎｃｅｄ  Ｖｉｄｅｏ  Ｃｏｄｉｎｇ  ｆｏｒ  Ｇｅｎｅｒｉｃ  Ａｕｄｉｏｖｉｓｕａｌ  Ｓｅｒｖｉｃｅｓ（オーディオビジュアルサービス全般のための高度ビデオ符号化方式）」（２００５年）を参照されたい。ＤＩＰ符号化モードについては、Ｓ．−Ｌ．Ｙｕ（Ｓ．−Ｌ．ユー）およびＣ．Ｃｈｒｙｓａｆｉｓ（Ｃ．クリサフィス）著「Ｎｅｗ  Ｉｎｔｒａ  Ｐｒｅｄｉｃｔｉｏｎ  ｕｓｉｎｇ  Ｉｎｔｒａ−Ｍａｃｒｏｂｌｏｃｋ  Ｍｏｔｉｏｎ  Ｃｏｍｐｅｎｓａｔｉｏｎ（イントラマクロブロック動き補償を使用した新しいイントラ予測）」、ＪＶＴ  ｍｅｅｔｉｎｇ  Ｆａｉｒｆａｘ、ｄｏｃ  ＪＶＴ−Ｃ１５１（２００２年５月）を参照されたい。テンプレートマッチングイントラ予測符号化モードについては、Ｔ．Ｋ．Ｔａｎ（Ｔ．Ｋ．タン）、Ｃ．Ｓ．Ｂｏｏｎ（Ｃ．Ｓ．ブーン）、およびＹ．Ｓｕｚｕｋｉ（Ｙ．スズキ）著「Ｉｎｔｒａ  Ｐｒｅｄｉｃｔｉｏｎ  ｂｙ  Ｔｅｍｐｌａｔｅ  Ｍａｔｃｈｉｎｇ（テンプレートマッチングによるイントラ予測）」、ＩＣＩＰ（２００６年）を参照されたい。
【００３０】
ＤＩＰが実行される場合、変位ベクトルは、インターフレーム動き補償に類似した方法を使用することによって、かつ、Ｈ．２６４／ＡＶＣ規格における動きベクトル符号化方法を採用することによって符号化されるということに留意すべきである。
【００３１】
さらに、本実施形態では、マクロブロックのサブブロックの走査順序は、Ｈ．２６４／ＡＶＣのＰ＿８×８マクロブロックタイプのサブブロックの走査順序と同じである。
【００３２】
次に、ステップ４２０において、各ブロックのサイズを示す情報と、各ブロックによって使用されたイントラ予測符号化モードを示す情報とがフレームの符号化結果内に書き込まれる。フレームの各ブロックがブロックのサイズを示す情報を含む場合、フレームのブロックは固定された分割パターンに制限されず、その結果、さまざまなイントラ予測符号化モードを使用することによって、より良好な符号化性能を取得することが容易になる。
【００３３】
特に、少なくとも２つの異なるイントラ予測符号化モードを使用することによって、フレームの各ブロックに対して予測符号化が実行され、かつ各モードはフレームの１つ以上のブロックに適用される場合は、複数のイントラ予測符号化モードを使用することによってフレームに対して予測符号化が実行されていることを示す情報が、フレームの符号化結果内に書き込まれ、したがって、本発明の技術的解決法は、さらに、フレームのすべてのブロックに対して１つのみのモードを使用することによってイントラフレーム符号化が実行される従来技術における技術的解決法と共存してもよく、そして、復号化側では、符号化結果を構文解析することによって正しい復号化を実行してもよい。
【００３４】
階層ツリーの１つのブランチのルートノードに対応する、例えばマクロブロックまたはサブブロックなどのブロックが、１つのみのイントラ予測符号化モードを使用する場合、すなわち、マクロブロックまたはサブブロック内のすべてのサブブロックの最適な符号化方法が同じイントラ予測符号化モードである場合、あるいは、マクロブロックまたはサブブロックが１つのブランチのリーフノードに対応する場合、ブロックのサイズを示す情報と、ブロックによって使用されるイントラ予測符号化モードを示す情報とがフレームの符号化結果内に書き込まれ、それ以外の場合は、ブランチの各サブブランチが処理される。
【００３５】
ＤＩＰ符号化モードについては、変位ベクトルが符号化される必要があることに留意すべきである。
【００３６】
構文テーブルによって示されるフレームの記憶構造を以下の表１に示す。複数のフレーム予測符号化モードを使用することによって予測符号化が実行されるマクロブロックのタイプは、I_EXTによって示され、そして、NumMbPart(I_EXT)=1である。
【００３７】
表１において、ext_intra_pred_flagは、複数のイントラ予測符号化モードを使用することによってフレームに対して予測符号化が実行されているかどうかを示し、そして、１に等しいext_intra_pred_flagは、複数のイントラ予測符号化モードを使用することによって予測符号化が実行されていることを示す。
【００３８】
１に等しいext_16x16_pred_flagは、イントラ予測を使用しているマクロブロックは１６×１６であることを示す。
【００３９】
０に等しいext_16x16_pred_flagは、マクロブロックが８×８にさらに分割されていることを示す。
【００４０】
ext_16x16_pred_modeは、１６×１６マクロブロックのイントラ予測符号化モードを示す。
【００４１】
１に等しいext_8x8_pred_flag[ ]は、８×８分割に従って予測が実行されていることを示し、０に等しいext_8x8_pred_flag[ ]は、サブブロックが４×４サブブロックにさらに分割されていることを示す。
【００４２】
ext_8x8_pred_mode[ ]は、各８×８サブブロックのイントラ予測符号化モードを示す。
【００４３】
ext_4x4_pred_mode[ ][ ]は、各４×４サブブロックのイントラ予測符号化モードを示す。
【００４４】
dvd[ ][ ][ ]は、ＤＩＰ符号化モードにおける変位ベクトルを示す。
【００４５】
【表１】
2010515310.tif 000003
【００４６】
さらに、ae(v)は、コンテキストベース適応２進算術符号（ｃｏｎｔｅｘｔ−ｂａｓｅｄ  ａｄａｐｔｉｖｅ  ｂｉｎａｒｙ  ａｒｉｔｈｍｅｔｉｃ  ｃｏｄｅ）によって符号化された構文要素である。
【００４７】
u(n)は、ｎビットの符号なし整数である。構文テーブル内で、nが「v」である場合、そのビット数は、その他の構文要素値によって決定される。構文解析プロセスは、関数read_bits(n)の戻り値によって定義され、戻り値は、上位から下位への２進値によって示される。
【００４８】
ue(v)は、指数ゴロム符号（ｅｘｐｏｎｅｎｔｉａｌ−Ｇｏｌｏｍｂ  ｃｏｄｅ）を使用することによって符号化された、符号なし整数の構文要素である。
【００４９】
次に、ステップ４３０で、復号化器は、最初に、複数のイントラ予測符号化モードを使用することによってフレームに対して予測符号化が実行されているかどうかを判定する。少なくとも２つのイントラ予測符号化モードを使用することによってフレームに対して予測符号化が実行されていることを示す情報が、フレームの符号化結果から読み出された場合、手順はステップ４４０に進み、それ以外の場合、手順はステップ４５０に進み、そこでは、フレームのすべてのブロックが、従来技術に従って、一つのイントラ予測符号化モードを使用することによって復号化される。
【００５０】
ステップ４４０で、復号化器は、フレームの符号化結果を読み出し、符号化結果内のブロックのサイズを示す情報を１つずつ探索し、ブロックのサイズを示す情報と、ブロックによって使用されたイントラ予測符号化モードを示す情報とに従って、復号化を実行する。フレームのブロックは、階層ツリーの形態で編成されている。ブロックのサイズを示す情報がフレームの符号化結果から読み出され、かつ、そのブロックはマクロブロックまたはサブブロックを含む場合、それは、そのサイズを有するブロックが、同じイントラ予測符号化モードを採用していることを示す。復号化器は、さらに、そのブロックによって使用されたイントラ予測符号化モードを示す情報を読み出し、そして、このモードを使用することによって、そのサイズを有するブロックを復号化する。
【００５１】
表１の符号化構造に従った例を以下に示す。図６を参照すると、この図は、本発明の第１の実施形態によるイントラ予測符号化および復号化の方法における復号化の例のフローチャートである。構文解析によって得られたext_intra_pred_flagフラグビットに従って、復号化器は、最初に、複数のイントラ予測符号化モードを使用することによって現在の符号化ストリームに対して予測符号化が実行されているかどうかを判定し、複数のイントラ予測符号化モードを使用することによって現在の符号化ストリームに対して予測符号化が実行されていない場合は、フレームのすべてのブロックが、従来技術に従って、例えばＨ．２６４／ＡＶＣ規格に従って、一つのイントラフレーム予測符号化モードを使用することによって復号化され、そして、複数のイントラ予測符号化モードを使用することによって現在の符号化ストリームに対して予測符号化が実行されている場合は、イントラフレームの現在のマクロブロック分割状況が、ext_16x16_pred_flagフラグビットに従って、さらに判定される。
【００５２】
ext_16x16_pred_flagが１に等しい場合、それは、マクロブロックが１６×１６に分割されていることを示し、現在のブロックの符号化モードがext_16x16_pred_modeを構文解析することによって取得され、その符号化モードに対応する復号化モードに従って１６×１６マクロブロックは復号化される。現在のブロックの符号化モードがＤＩＰ符号化モードである場合、変位ベクトルdvdが符号化ストリームから構文解析され、次に、対応する復号化方法を使用することによってブロックは復号化される。ext_16x16_pred_flagが０に等しい場合、それは、１６×１６マクロブロックが８×８ブロックに分割されていることを示し、したがって、マクロブロックの各８×８ブロックがさらに構文解析される。
【００５３】
各８×８ブロックについて、ext_8x8_pred_flagに従って、ext_8x8_pred_flagが１に等しい場合、符号化ストリーム内の８×８ブロックの予測符号化モードext_8x8_pred_modeが構文解析され、その符号化モードに従って対応する復号化方法が復号化を実行するために選択される。現在のブロックの符号化モードがＤＩＰ符号化モードである場合、各８×８ブロックの変位ベクトルdvdが符号化ストリームから構文解析され、次に、対応する復号化方法を使用することによって復号化が実行される。ext_8x8_pred_flagが０に等しい場合、それは、現在のブロックが４×４サブブロックにさらに分割されていることを示し、各４×４ブロックの予測符号化モードext_4x4_pred_modeが構文解析される。
【００５４】
各４×４ブロックについて予測符号化モードext_4x4_pred_modeが構文解析され、その符号化モードに従って対応する復号化方法が復号化を実行するために選択される。現在のブロックの符号化モードがＤＩＰ符号化モードである場合、各４×４ブロックの変位ベクトルdvdが符号化ストリームから構文解析され、次に、対応する復号化方法を使用することによって復号化が実行される。
【００５５】
図７は、本発明の実施形態によるイントラ予測符号化および復号化の方法によってもたらされる、レート歪性能の向上を示す。
【００５６】
本実施におけるフレームは、空間領域または周波数領域のフレームであってもよく、周波数領域は、例えば、ＤＣＴ、ＤＦＴ、およびウェーブレット変換などのさまざまな変換によって生成された周波数領域を含む、ということに留意すべきである。したがって、本発明は広い適用分野を有する。
【００５７】
本発明の第２の実施形態は、イントラ予測符号化の装置に関する。図８を参照すると、この図は、本発明の第２の実施形態によるイントラ予測符号化の装置の構造図（ｓｔｒｕｃｔｕｒａｌ  ｖｉｅｗ）である。本実施形態のイントラ予測符号化の装置は、少なくとも２つのイントラ予測符号化モードを使用することによってフレームに対して予測符号化を実行するように適合された、符号化ユニットを含み、ここで、各モードはフレームの少なくとも１つのブロックに適用される。さまざまなブロックを最も適切なモードを使用することによって符号化するために、予測符号化は、複数のイントラ予測符号化モードを使用することによって実行される。フレームのすべてのブロックに対して１つのみのモードを使用することによってイントラ符号化が実行される従来技術における技術的解決法と比較すると、本実施形態の符号化装置では、より良好な符号化性能が得られる。符号化ユニットは、さらに、少なくとも２つの符号化器であって、符号化器のそれぞれは１つのイントラ予測符号化モードを使用することによって各ブロックに対して予測符号化を実行するように適合された、少なくとも２つの符号化器と、最終的な符号化結果が最適な性能を有するようにするために、符号化器から出力された符号化結果候補から最適なレート歪性能を有する符号化結果を、ブロックの最終的な符号化結果となるように選択するように適合された、選択器とを含む。イントラ予測符号化の装置は、フレーム内の各ブロックによって使用されたイントラ予測符号化モードを示す情報と、フレームの各ブロックのサイズを示す情報とを、フレームの符号化結果内に書き込むように適合された、書き込みユニットをさらに含む。各ブロックのサイズを示す情報を符号化結果内に書き込むことによって、フレームのブロックは固定された分割パターンに制限されなくてもよくなり、したがって、異なるイントラ予測符号化モードを使用することによって、より良好な符号化性能が得られるようになる。１つのメディアストリーム内のいくつかのフレームは、少なくとも２つのイントラ予測符号化モードを使用するが、そのメディアストリーム内のいくつかのその他のフレームは、１つのみのイントラ予測符号化モードを使用する場合、復号化を正しく実行するために、書き込みユニットは、１つのフレームに対して少なくとも２つのイントラ予測符号化モードを使用することによって予測符号化が実行される際に、フレームに対して少なくとも２つのイントラ予測符号化モードを使用することによって予測符号化が実行されていることを示す情報を、フレームの符号化結果内に書き込む。フレームは、空間領域フレームまたは周波数領域フレームであってもよく、性能測定値は、レート歪性能であってもよく、そして、イントラ予測符号化モードは、方向予測モード、ＤＩＰモード、およびテンプレートマッチング予測モードを少なくとも含む。
【００５８】
さらに、書き込みユニットは、最適な性能を得るため、および、符号化結果内の各ブロックによって使用されたイントラ予測符号化モードを示す情報の量を減らすために、各ブロックを階層ツリーの形態で編成してもよい。
【００５９】
本発明の第３の実施形態は、イントラ予測復号化の装置に関する。図９を参照すると、この図は、本発明の第３の実施形態によるイントラ予測復号化の装置の構造図である。本実施形態のイントラ予測復号化の装置は、復号化ユニットと、第１の読み出しユニットと、第２の読み出しユニットとを含む。
【００６０】
復号化ユニットは、少なくとも２つの復号化器を含み、各復号化器は、１つのイントラ予測符号化モードに従って復号化するように適合される。
【００６１】
第１の読み出しユニットは、フレームの各ブロックによって使用されているイントラ予測符号化モードを示す情報をフレームの符号化結果から読み出すように、そして、そのイントラ予測符号化モードに対応する復号化器にブロックを復号化するように指示するように、適合される。
【００６２】
第２の読み出しユニットは、少なくとも２つのイントラ予測符号化モードを使用することによってフレームに対して予測符号化が実行されていることを示す情報を、フレームの符号化結果から読み出すことを試みるように適合され、さらに、少なくとも２つのイントラ予測符号化モードを使用することによってフレームに対して予測符号化が実行されていることを示す情報が読み出された場合は、第１の読み出しユニットと各復号化器とに、フレームの各ブロックをそれぞれ復号化するように指示するように、それ以外の場合は、復号化器のうちの１つに一つのイントラ予測符号化モードを使用することによってフレームのすべてのブロックを復号化するように指示するように、適合される。
【００６３】
同様に、フレームは、空間領域または周波数領域のフレームであり、そして、周波数領域は、例えば、ＤＣＴ、ＤＦＴ、およびウェーブレット変換などのさまざまな変換によって生成された周波数領域を含む。したがって、本発明は広い適用分野を有する。
【００６４】
イントラ予測符号化モードは、方向予測モード、ＤＩＰモード、およびテンプレートマッチング予測モードを少なくとも含む。
【００６５】
２つの装置の実施形態におけるユニットは論理的なユニットであり、実際的な適用においては、ユニットは異なる物理的実現形態を有してもよい、ということに留意すべきである。
【００６６】
要約すると、本発明の各実施形態においては、さまざまなブロックを最も適切なモードを使用することによって符号化するために、同じフレームに対して少なくとも２つのイントラ予測符号化モードを使用することによって予測符号化が実行され、各ブロックによって使用されたイントラ予測符号化モードを示す情報が符号化結果内に書き込まれる。フレームのすべてのブロックに対して１つのみのモードを使用することによってイントラ符号化が実行される従来技術における技術的解決法と比較すると、本発明では、より良好な符号化性能が得られる。
【００６７】
１つのメディアストリーム内のいくつかのフレームは、少なくとも２つのイントラ予測符号化モードを使用するが、そのメディアストリーム内のいくつかのその他のフレームは、１つのみのイントラ予測符号化モードを使用する場合、復号化を正しく実行するために、前者の符号化結果内には少なくとも２つのイントラ予測符号化モードが使用されていることを示す情報が書き込まれる。
【００６８】
少なくとも２つのイントラ予測符号化モードが使用される状況下では、復号化の間、同じフレームの各ブロックによって使用されたイントラ予測符号化モードが最初に読み出され、次に、そのモードを使用することによってブロックは復号化され、したがって、各ブロックは正しく復号化される。
【００６９】
各ブロックのサイズを示す情報が符号化結果内に書き込まれ、したがって、同じフレームのブロックは固定された分割パターンに制限されず、その結果、さまざまなイントラ予測符号化モードを使用することによって、より良好な符号化性能が得られる。
【００７０】
各ブロックに対して、複数のイントラ予測符号化モードを使用することを試みることによって予測符号化が実行されて、複数の符号化結果候補が得られ、次に、例えばレート歪性能などの予め決められた性能測定値に従って、最適な符号化結果候補が最終的な符号化結果として選択され、したがって、最終的な符号化結果は最適な性能を有する。
【００７１】
最適な性能を得るため、および、符号化結果内の各ブロックによって使用されたイントラ予測符号化モードを示す情報の量を減らすために、各ブロックは階層ツリーの形態で編成される。
【００７２】
本発明の技術的解決法は、空間領域のフレームまたは周波数領域のフレームに適用されてもよく、周波数領域は、例えば、ＤＣＴ、ＤＦＴ、およびウェーブレット変換などのさまざまな変換によって生成された周波数領域を含む。したがって、本発明は広い適用分野を有する。
【００７３】
本発明の範囲を逸脱することなく、本発明の構造に対してさまざまな修正および変形が行われてもよいということは、当業者にとって明らかであろう。上記に鑑みて、本発明は、本発明の修正および変形を、それらが特許請求の範囲およびその均等物の範囲に含まれるならば、網羅することが意図されている。
【図１】
2010515310.tif 000004
【図２】
2010515310.tif 000005
【図３】
2010515310.tif 000006
【図４】
2010515310.tif 000007
【図５】
2010515310.tif 000008
【図６】
2010515310.tif 000009
【図７】
2010515310.tif 000010
【図８】
2010515310.tif 000011
【図９】
2010515310.tif 000012
【手続補正書】
【提出日】平成21年6月29日(2009.6.29)
【手続補正１】
【補正対象書類名】明細書
【補正対象項目名】０００１
【補正方法】変更
【補正の内容】
【０００１】
本発明は、ビデオ符号化および復号化の分野に関し、特に、イントラ予測符号化および復号化の方法および装置に関する。
本出願は、２００７年１月１１日に出願された中国特許出願２００７１０００７８０１．０の優先権を主張する２００８年１月１１日に出願されたＰＣＴ／ＣＮ２００８／０８００９２であり、上記出願の内容は全体として参照により本明細書に組み込まれる。
【手続補正２】
【補正対象書類名】明細書
【補正対象項目名】００１３
【補正方法】変更
【補正の内容】
【００１３】
本発明の一実施形態は、イントラ予測復号化の装置を提供し、イントラ予測復号化の装置は、少なくとも２つの復号化器であって、各復号化器は、１つのイントラ予測符号化モードに従って復号化するように適合された、少なくとも２つの復号化器と、第１の読み出しユニットであって、フレーム内の各ブロックのイントラ予測符号化モードを示す情報を、フレームの符号化結果から読み出すように適合され、フレームの各ブロックは少なくとも２つのイントラ予測符号化モードのうちの１つを使用して符号化されており、及び、イントラ予測符号化モードに対応する復号化器に、ブロックを復号化するように指示するように適合された、第１の読み出しユニットと、を含む。
【手続補正３】
【補正対象書類名】特許請求の範囲
【補正対象項目名】全文
【補正方法】変更
【補正の内容】
【特許請求の範囲】
【請求項１】
フレーム内のブロックに対して少なくとも２つのイントラ予測符号化モードを使用することによって予測符号化を実行するステップと、
前記フレームの各ブロックの前記イントラ予測符号化モードを示す情報を前記フレームの符号化結果に書き込むステップであって、前記フレームの各ブロックは前記少なくとも２つのイントラ予測符号化モードのうちの１つを使用することによって符号化された、前記書き込むステップと、
を含む、イントラ予測符号化方法。
【請求項２】
前記予測符号化は少なくとも２つのイントラ予測符号化モードを使用することによって実行されていることを示す情報を前記フレームの前記符号化結果内に書き込むステップをさらに含む、請求項１に記載のイントラ予測符号化方法。
【請求項３】
各ブロックのサイズを示す情報を前記フレームの前記符号化結果内に書き込むステップをさらに含む、請求項１に記載のイントラ予測符号化方法。
【請求項４】
フレーム内のブロックに対して少なくとも２つのイントラ予測符号化モードを使用することによって予測符号化を実行する前記ステップは、
前記フレームの各ブロックに対してすべての利用可能なイントラ予測符号化モードを使用することを試みることによって前記予測符号化を実行するステップと、
前記ブロックの少なくとも２つの符号化結果候補を取得するステップと、
前記符号化結果候補から最適な性能測定値を有する符号化結果を前記ブロックの最終的な符号化結果として選択するステップと、
をさらに含む、請求項１に記載のイントラ予測符号化方法。
【請求項５】
前記ブロックは階層ツリーの形態で編成され、
前記階層ツリーの１つのブランチのルートノードに対応する前記ブロックが１つのみのイントラ予測符号化モードを使用することによって符号化されている場合、前記ブロックのサイズを示す情報と、前記ブロックの前記イントラ予測符号化モードを示す情報とが、前記フレームの前記符号化結果内に書き込まれ、そうでない場合、前記ブランチの各サブブランチがさらに処理される、請求項１〜４のいずれか一項に記載のイントラ予測符号化方法。
【請求項６】
フレームの各ブロックのイントラ予測符号化モードを示す情報を前記フレームの符号化結果から読み出すステップであって、前記フレームの各ブロックは少なくとも２つのイントラ予測符号化モードのうちの１つを使用することによって符号化された、前記読み出すステップと、
前記情報によって示される前記イントラ予測符号化モードに対応する復号化モードを使用することによって、各ブロックを復号化するステップと、
を含む、イントラ予測復号化方法。
【請求項７】
少なくとも２つのイントラ予測符号化モードを使用することによって前記フレームに対して予測符号化が実行されていることを示す情報が前記フレームの前記符号化結果から読み出された場合は、前記フレームの各ブロックを前記イントラ予測符号化モードに対応する前記復号化モードを使用することによってそれぞれ復号化し、そうでない場合は、前記フレームのすべてのブロックを一つのイントラ予測復号化モードを使用することによって復号化するステップをさらに含む、請求項６に記載のイントラフレーム予測復号化方法。
【請求項８】
前記ブロックは階層ツリーの形態で編成され、
前記フレームの前記符号化結果から前記ブロックのサイズを示す情報が読み出された場合、前記ブロックの前記イントラ予測符号化モードを示す情報がさらに読み出され、前記サイズを有する前記ブロックが前記イントラ予測符号化モードに対応する前記復号化モードを使用することによって復号化される、請求項６に記載のイントラ予測復号化方法。
【請求項９】
フレーム内のブロックに対して少なくとも２つのイントラ予測符号化モードを使用することによって予測符号化を実行するように適合されたユニットと、
前記フレームの各ブロックの前記イントラ予測符号化モードを示す情報を前記フレームの符号化結果内に書き込むように適合されたユニットであって、前記フレームの各ブロックは前記少なくとも２つのイントラ予測符号化モードのうちの１つを使用することによって符号化された、ユニットと、
を具備する、イントラフレーム予測符号化装置。
【請求項１０】
前記少なくとも２つのイントラ予測符号化モードを使用することによって前記フレームに対して前記予測符号化が実行されていることを示す情報を前記フレームの前記符号化結果内に書き込むように適合されたユニットをさらに具備する、請求項９に記載のイントラ予測符号化装置。
【請求項１１】
各ブロックのサイズを示す情報を前記フレームの前記符号化結果内に書き込むように適合されたユニットをさらに具備する、請求項９に記載のイントラ予測符号化装置。
【請求項１２】
フレーム内のブロックに対して少なくとも２つのイントラ予測符号化モードを使用することによって予測符号化を実行するように適合された前記ユニットは、
各符号化器が１つのイントラ予測符号化モードを使用することによって各ブロックに対して前記予測符号化を実行するように適合された、少なくとも２つの符号化器と、
前記符号化器から出力された符号化結果候補から最適なレート歪性能を有する符号化結果を前記ブロックの最終的な符号化結果として選択するように適合された、選択器と、
をさらに具備する、請求項９に記載のイントラ予測符号化装置。
【請求項１３】
各復号化器が１つのイントラ予測符号化モードに従って復号化するように適合された、少なくとも２つの復号化器と、
フレームの各ブロックのイントラ予測符号化モードを示す情報を前記フレームの符号化結果から読み出すように適合され、フレームの各ブロックは少なくとも２つのイントラ予測符号化モードのうちの１つを使用して符号化されており、及び、前記イントラ予測符号化モードに対応する前記復号化器に前記ブロックを復号化するように指示するように適合された、第１の読み出しユニットと、
を具備する、イントラフレーム予測復号化装置。
【請求項１４】
少なくとも２つのイントラ予測符号化モードを使用することによって前記フレームに対して予測符号化が実行されていることを示す情報を前記フレームの前記符号化結果から読み出すことを試みるように適合され、少なくとも２つのイントラ予測符号化モードを使用することによって前記フレームに対して前記予測符号化が実行されていることを示す前記情報が読み出された場合は、前記第１の読み出しユニットと前記復号化器とに前記フレームの各ブロックをそれぞれ復号化するように指示するように適合され、そうでない場合は、前記復号化器のうちの１つに一つのイントラ予測復号化モードを使用することによって前記フレームのすべてのブロックを復号化するように指示するように適合された、第２の読み出しユニットをさらに具備する、請求項１３に記載のイントラ予測復号化装置。
【国際調査報告】
2010515310.tif 000013
2010515310.tif 000014
2010515310.tif 000015
2010515310.tif 000016